(57)【要約】 【課題】 並列配置された複数の遮断器の開閉操作のために表面パネルに形成されたパネル開口部における遮断器間の隙間を覆うことができる盤用カバー及びこの盤用カバーを取り付けた盤を提供する。【解決手段】開閉操作ハンドル（３２）を備えた遮断器（３０）を開閉操作ハンドルの操作方向と直交する方向に複数取り付けた盤の表面パネルに形成された、遮断器の開閉操作ハンドルを露出させるためのパネル開口部（４１）を覆う盤用カバー（２０）であって、遮断器の幅と等しい幅の略平面の矩形状に形成されるとともに遮断器の開閉操作ハンドルを露出させるハンドル開口部（２１）を有し、ハンドル開口部が位置する盤用カバーの端縁からの幅方向の寸法は、開閉操作ハンドルが位置する遮断器の端縁からの幅方向の寸法と異なり、盤用カバーを表面パネルに取り付けたとき盤用カバーが遮断器の一方の端縁から幅方向にはみ出た庇を構成する。【選択図】 図４
2006333645.tif 000002
【特許請求の範囲】
【請求項１】
表面部に開閉操作ハンドル（３２）を備えた遮断器（３０）を前記開閉操作ハンドルの操作方向と直交する方向に複数取り付けた盤の表面パネルに形成された、前記遮断器の開閉操作ハンドルを露出させるための前記各遮断器に共通のパネル開口部（４１）を覆う、前記遮断器ごとに取り付けられる盤用カバー（２０）であって、
前記盤用カバーは、
前記遮断器の幅と等しい幅の略平面の矩形状に形成されるとともに前記遮断器の開閉操作ハンドルを露出させるハンドル開口部（２１）を有し、
前記ハンドル開口部が位置する前記盤用カバーの端縁からの幅方向の寸法は、前記開閉操作ハンドルが位置する前記遮断器の端縁からの幅方向の寸法と異なり、
前記盤用カバーを前記表面パネルに取り付けたとき前記盤用カバーが前記遮断器の一方の端縁から幅方向にはみ出た庇を構成することを特徴とする盤用カバー。
【請求項２】
互いに接するように取り付けられた同一幅の複数の前記遮断器（３０）と請求項１に記載の盤用カバー（２０）が取り付けられていることを特徴とする盤。
【請求項３】
同一幅の複数の前記遮断器（３０）が互いに間隔をもって取り付けられた盤、前記遮断器（３０）より幅の広い第２遮断器（２）が複数取り付けられた盤、又は前記遮断器（３０）と前記第２遮断器（２）が混在して取り付けられた盤であって、
前記遮断器（３０）に対応する請求項１に記載の盤用カバー（２０）を前記遮断器（３０）及び前記第２遮断器（２）に対応して取り付け、隣り合う前記盤用カバー間の非カバー部分を覆う前記パネル開口部に取り付けられる隙間カバー（５０）を設けたことを特徴とする盤。
【発明の詳細な説明】
【技術分野】
【０００１】
本発明は、複数の遮断器が並列配置され、これらの遮断器の開閉操作ハンドルを露出させるための開口部が形成された表面パネルを有する盤の該開口部を覆うカバーに関する。
【背景技術】
【０００２】
配電盤や分電盤などの盤には、その表面パネル近くに複数の遮断器を並列配置させて、遮断器の開閉操作ハンドルを外部から操作するために表面パネルに開口部を形成したものがある。このような盤の従来の技術の例を、特開２００３−１３４６１５号公報に開示されている図１、図２及び図３によって説明する。
図１は、この従来の配電盤１に取り付けられた配線用遮断器や漏電遮断器などの三相用の遮断器２を示す図であって、主として差込端子３ａを有するベース部材３と開閉機構や開閉接点などを収納する絶縁成型ケースを有する遮断器本体４とからなる。遮断器本体４は、三相の負荷側端子５及び上述の差込端子に接続された電源側端子６並びに絶縁成型ケースの表面の幅方向の中心線上に形成されている方形の土手７の内側に形成された孔から突き出ている開閉操作ハンドル８を有する。そして、開閉操作ハンドル８を電源側端子６側に操作させることにより遮断器２をＯＮにでき、負荷側端子５側に操作させることによってＯＦＦにできる。
【０００３】
図２はこの従来の配電盤１を正面から見た図であり、図１に示されている三相のブスバー１ａが図２には示されていないが垂直方向に配置されている。このブスバー１ａにベース部材３の差込端子３ａが差し込まれ、開閉操作ハンドル８の操作方向が水平方向になるような向き、すなわち遮断器２の幅方向に複数の遮断器２が互いに接するように取り付けられている。そして、図３を参照して、この配電盤１の表面パネル９には、遮断器２の土手７を露出させための、各遮断器２に共通の一つの縦長の矩形のパネル開口部１０が形成されている。
【０００４】
【特許文献１】特開２００３−１３４６１５号公報
【発明の開示】
【発明が解決しようとする課題】
【０００５】
しかし、上述した遮断器２は遮断器本体４の幅がベース部材３の幅より小さいため、隣り合う遮断器２を接するように配置しても遮断器本体４間には隙間が生じ、表面パネル９のパネル開口部１０からこの隙間に異物が侵入したり外観上も見苦しいという問題があった。
また、ベース部材と遮断器本体の幅が同じ遮断器を接するように配置させても、遮断器間にわずかな隙間が生じて同様な問題が生じる問題があった。
したがって、本願発明は、並列配置された複数の遮断器の開閉操作のために表面パネルに形成された、各遮断器に共通のパネル開口部における遮断器間の隙間を覆うことができる盤用カバー及びこの盤用カバーを取り付けた盤を提供することを目的とする。
【課題を解決するための手段】
【０００６】
上記の問題を解決するために、請求項１の発明は、表面部に開閉操作ハンドル（３２）を備えた遮断器（３０）を開閉操作ハンドルの操作方向と直交する方向に複数取り付けた盤の表面パネルに形成された、遮断器の開閉操作ハンドルを露出させるための各遮断器に共通のパネル開口部（４１）を覆う、遮断器ごとに取り付けられる盤用カバー（２０）であって、盤用カバーは、遮断器の幅と等しい幅の略平面の矩形状に形成されるとともに遮断器の開閉操作ハンドルを露出させるハンドル開口部（２１）を有し、ハンドル開口部が位置する盤用カバーの端縁からの幅方向の寸法は、開閉操作ハンドルが位置する遮断器の端縁からの幅方向の寸法と異なり、盤用カバーを表面パネルに取り付けたとき盤用カバーが遮断器の一方の端縁から幅方向にはみ出た庇を構成することを特徴としている。
【０００７】
請求項２の発明は、互いに接するように取り付けられた同一幅の複数の遮断器（３０）と請求項１に記載の盤用カバー（２０）が取り付けられていることを特徴としている盤である。
請求項３の発明は、同一幅の複数の前記遮断器（３０）が互いに間隔をもって取り付けられた盤、前記遮断器（３０）より幅の広い第２遮断器（２）が複数取り付けられた盤、又は前記遮断器（３０）と前記第２遮断器（２）が混在して取り付けられた盤であって、前記遮断器（３０）に対応する請求項１に記載の盤用カバー（２０）を前記遮断器（３０）及び前記第２遮断器（２）に対応して取り付け、隣り合う盤用カバー間の非カバー部分を覆うパネル開口部に取り付けられる隙間カバー（５０）を設けたことを特徴とする盤である。
【発明の効果】
【０００８】
請求項１の発明による盤用カバーは、ハンドル開口部が位置する盤用カバーの端縁からの幅方向の寸法が、開閉操作ハンドルが位置する遮断器の端縁からの幅方向の寸法と異なるため、１台の遮断器（３０ｂ）に対応して１個の盤用カバー（２０ｂ）が表面パネルに取り付けられたとき、盤用カバーのハンドル開口部（２１）に関して幅方向の一方の平面部（２２ｂ）が遮断器（３０ｂ）の端縁からはみ出た庇を構成して遮断器（３０ｂ）の端縁を覆う。したがって、庇が形成されている側に隣り合う遮断器が、接して又は庇の長さ以内の間隔で取り付けられるときは、特別な部材を用意することなく隙間を覆うことができる。
すなわち、請求項１の発明は、盤用カバー自体が庇構成を有するため、当該遮断器の幅方向に関して一方の端縁を覆う特別な部材は必要ではなく、品質上望まれる、隣に位置する遮断器との隙間を覆うための機能を、美観に優れた簡単な構成で実現できるという効果を奏する。
【０００９】
請求項２の発明は、盤用カバーだけで、並列配置された遮断器の表面の全面及び隣接する遮断器との接する部分も覆うため、より美観に優れた盤を構成できるという効果を奏する。
すなわち、同一幅の遮断器が隣接するように取り付けられている盤では、一の遮断器（３０ａ）の開閉操作ハンドルに関して幅方向の一方の表面全部及び他方の表面の一部が、対応するカバー（２０ａ）のそれぞれ一方の平面部（２２ａ）及び他方の平面部（２３ａ）によって覆われる。遮断器の幅と盤用カバーの幅が同じであるため、一の遮断器（３０ａ）の他方の表面のうちカバー（２０ａ）によって覆われない部分全部と、隣接する二の遮断器（３０ｂ）と接する部分は二の遮断器（３０ｂ）に対応するカバー（２０ｂ）の一方の平面部（２２ｂ）によって構成される庇部分によって覆われる。
【００１０】
請求項３の発明は、盤構成の都合上、盤用カバーと同一幅の遮断器を間隔を持って取り付ける場合や、盤用カバーと同一幅の遮断器より幅の広い第２の遮断器を複数取り付ける場合や、盤用カバーと同一幅の遮断器と幅の広い第２の遮断器を混在して取り付ける場合もあるが、これらの場合隣り合う盤用カバー間に生じる非カバー部分を簡単な構造の隙間カバーによって覆えるので、１種類の盤用カバーを多面的に応用して安価で生産性のよい多様な盤を構成できるという効果を奏する。
【発明を実施するための最良の形態】
【００１１】
本発明の実施の形態を、図４ないし図８に示されている実施例において説明する。
図４及び図５を参照して、本発明による実施例のカバー２０について説明する。配電盤には複数の幅寸法Ｗ１なる遮断器３０が、それぞれ土手３１内の開閉操作ハンドル３２の操作方向が水平方向になるような向きで、上方から下方へ互いに接するように取り付けられている。そして、配電盤の表面パネルには、幅がＷ２なる縦長のパネル開口部４１が形成され、このパネル開口部４１にそれぞれの遮断器３０に対応して実施例の熱可塑性成形品であるカバー２０が取り付けられている。
なお、遮断器３０の幅寸法は、後述する他の実施例の理解を容易にするため９０ｍｍとする。また、以下、本明細書において各遮断器３０及びカバー２０を区別して説明する必要がある場合は、図示されているように符号に「ａ」、「ｂ」などの符号を付加して説明する。
【００１２】
図５を参照して、カバー２０は、遮断器３０と同じ幅寸法Ｗ１の略平面状の部材であって、遮断器３０の土手３１がはまり込む方形のハンドル開口部２１を有する。ハンドル開口部２１は、遮断器３０の土手３１がその幅方向の中心線上に設けられているのとは異なり、ハンドル開口部２１の中心線Ａがカバー２０の幅の中心線Ｂから、寸法Ｃだけ下方にシフトした位置となるように形成されている。すなわち、ハンドル開口部２１の盤用カバー２０の端縁からの幅方向の寸法が、開閉操作ハンドル２１が位置する遮断器３０の端縁からの幅方向の寸法と異なっている。このため、ハンドル開口部２１から上の平面部（広い平面部）２２は下の平面部（狭い平面部）２３より相対的に広い表面となっている。
【００１３】
この広い平面部２２及び狭い平面部２３の表面には、名板を取り付けるためにそれぞれ大きな浅い方形の窪み２４及び複数の小さく浅い窪み２５が形成されている。そして、カバー２０の裏面には、配電盤のパネルのパネル開口部４１の幅寸法と同じ寸法Ｗ２のピッチで互いに背を向けるように形成された対となる鉤２６が２対形成されている。
なお、大きい窪み２４に取り付けられる名板２７は、それぞれのカバー２０に対応する遮断器３０の回路名を表示するものであって、着脱自在となっている。このため、名板２７は窪み２４と同寸であり、窪み２４の左右端に形成された突起２８の下に配置されるため、取付けや取替えが容易にできるとともに、容易に脱落しないようになっている。
【００１４】
このような、カバー２０を盤の表面パネルに取り付けるときは、遮断器３０の土手３１がハンドル開口部２１にはまり込むようにカバー２０を配置し、左右の鉤２６を表面パネルのパネル開口部４１の左右の内縁と係合させる。このようにして、複数の遮断器３０に対応して複数のカバー２０を取り付ければ、例えば、遮断器３０ｂに対応する盤用カバー２０ｂの広い平面部２２ｂが、遮断器３０ｂの開閉操作ハンドルに関して上側の表面全部を覆うとともに、上側に隣接する遮断器３０ａ方向に寸法Ｃだけ突き出る庇を構成する。したがって、この庇は、遮断器３０ａの表面の一部を覆うととともに、遮断器３０ｂと遮断器３０ａとの接する部分も覆う。また、遮断器３０ｂの開閉操作ハンドルに関して下側の表面は、盤用カバー２０ｂの狭い平面部２３ｂと、下側に隣接する遮断器３０ｃに対応する盤用カバー２０ｃの広い平面部２２ｃの庇とによって覆われる。
【００１５】
なお図５を参照して、カバー２０にはカバー２０の上辺の裏面からカバー２０の幅からはみ出たラップ縁２９が形成されており、一つのカバー２０ｂのラップ縁２９にオーバーラップするように隣接するカバー２０ａの下縁を配置させることにより、カバー２０ａとカバー２０ｂとの間に隙間が全く発生しない。
また、上端のカバー２０ａの広い平面部２２ａ及び下端のカバー２０ｄの狭い平面部２３ｄが、パネル開口部４１のそれぞれ上縁部４１ａ及び下縁部４１ｂを覆うためパネル開口部４１全体が複数のカバー２０によって隙間なく覆われる。
【００１６】
図６及び図７を参照して、本発明による実施例のカバー２０を取り付けた他の盤について説明する。この盤は、カバー２０の取り付けが可能であるが、遮断器３０よりも広い幅Ｗ３なる遮断器２を取り付けたもので、幅の差（Ｗ３−Ｗ１）に見合う幅を有する隙間カバー５０を設けたものである。
【００１７】
図６に示されている盤は、従来の技術で説明した遮断器本体４とベース部材３からなる遮断器２が複数、そのベース部材３が互いに接するように配置されているものである。
なお、この盤の説明の理解を容易にするため以下の説明において、上述の遮断器本体４の幅を前述の遮断器３０の幅と同寸のＷ１＝９０ｍｍとし、ベース部材３の幅、すなわち遮断器２全体の幅をＷ３＝１２０ｍｍとする。また、各遮断器２及び隙間カバー５０を区別して説明する必要がある場合は、図示されているように符号に「ａ」、「ｂ」などの符号を付加して説明する。
【００１８】
図６の場合は、相対的に下側のカバー２０ｆの上縁は、上側の遮断器本体４ａと下側の遮断器本体４ｂとの間に位置し、下側のカバー２０ｆの上縁と上側のカバー２０ｅの下縁との間の部分は、いずれのカバー２０ｅ及びカバー２０ｆによっても覆われない隙間となる。このような隙間には幅がＷ４＝（Ｗ３−Ｗ１）／２の２個の隙間カバー５０ａ及び隙間カバー５０ｂを取り付けることによってパネルの開口部全体を、幅がＷ３のカバーを製造することなく、幅がＷ１のカバー２０を利用して隙間なく覆うことができる。
【００１９】
図７を参照して、隙間カバー５０は熱可塑性成型絶縁物であって、一片の幅ごとに溝で区分される複数片が連続して製造されており、必要数分づつ分割して利用できる。この隙間カバー５０は、カバー２０と同様に、裏面にピッチＷ２にて一対の鉤５１を備えているためパネルの開口部４１に取り付けることが可能である。なお、図６において、下側の隙間カバー５０ｂの下縁が、下側のカバー２０ｆのラップ縁２９とオーバーラップするように取り付けられる。
なお、図６では、幅がＷ４なる隙間カバー５０を２個使用しているが、（Ｗ３−Ｗ１）なる幅のもの１個を使用してもよい。
【００２０】
図８を参照して、本発明による実施例のカバー２０を取り付けたさらに他の盤について説明する。この盤は、前述の幅がＷ１＝９０ｍｍなる遮断器３０と幅がＷ３＝１２０ｍｍなる遮断器２を交互に組み合わせて互いに接するように取り付け、さらに、カバー２０と一片の幅がＷ４＝１５ｍｍの隙間カバー５０を取り付けたものである。
図８の盤は遮断器２ｃ、遮断器３０ｄ及び遮断器２ｄにそれぞれカバー２０ｇ、カバー２０ｈ及びカバー２０ｋを取り付け、さらに、カバー２０ｇの下縁とカバー２０ｈの上縁との間及びカバー２０ｈの下縁とカバー２０ｋの上縁との間に、それぞれの上縁と下縁が接するように１片の隙間カバー５０ｃ及び隙間カバー５０ｄを取り付けてある。このことによって、幅がＷ３のカバーを製造することなく、幅がＷ１のカバー２０を利用してパネルの開口部全体を隙間なく覆うことができ、
【００２１】
なお、図８の盤では、１台の遮断器３０と２台の遮断器２の合計３台の遮断器のみが取り付けられているが、図４、図６及び図８に示された技術から、遮断器３０と遮断器２とを自由に組み合わせて互いに接して取り付けた盤を構成できることは容易に理解できる。
【００２２】
以上の説明では、いずれも隣り合う遮断器が接するように取り付けた盤の例について説明したが、間隔を持って取り付けられる場合でもその間隔の寸法に相当する隙間カバーを追加して取り付けることによってパネルの開口部を覆うことも容易に理解できる。
【００２３】
また、図６および図８の説明では、遮断器３０の幅Ｗ３が９０ｍｍ、遮断器２の幅Ｗ３が１２０ｍｍなる寸法の例で示されている。しかし、この例は、図８では互いに隣り合うカバー２０ｇ、カバー２０ｈ及びカバー２０ｋとの間にいずれも１５ｍｍの隙間が存在し、図６では隣り合うカバー２０ｅとカバー２０ｆとの間に３０ｍｍ＝１５ｍｍｘ２の隙間が存在し、これらの隙間を覆う隙間カバー５０として１５ｍｍ幅のものを１片又は連続した２片で使用できることが便利であるために紹介されただけで、この寸法に限られることはない。
【図面の簡単な説明】
【００２４】
【図１】遮断器の一例を示す（ａ）平面図、及び（ｂ）側面図である。
【図２】図１の遮断器を取り付けた従来の盤を正面から見た図である。
【図３】図２の盤の表面パネルの斜視図である。
【図４】本発明による実施例の盤用カバーを装着した盤を正面から見た部分図である。
【図５】本発明による実施例のカバーの（ａ）正面図、（ｂ）線Ｄからみた断面図、及び（ｃ）線Ｅからみた断面図である。
【図６】本発明による実施例の盤用カバーを装着した他の盤を正面から見た部分図である。
【図７】図６の盤に使用される隙間カバーの（ａ）正面図、（ｂ）上面図、及び（ｃ）側面図である。
【図８】本発明による実施例の盤用カバーを装着したさらに他の盤を正面から見た部分図である。
【符号の説明】
【００２５】
２  遮断器
３  ベース部材
４  遮断器本体
５  負荷側端子
６  電源側端子
７  土手
８  開閉操作ハンドル
２０  カバー
２１  ハンドル開口部
２２  広い平面部
２３  狭い平面部
２４  窪み
２５  窪み
２６  鉤
２７  名板
２８  突起
２９  ラップ縁
３０  遮断器
３１  土手
３２  開閉操作ハンドル
４１  パネル開口部
５０  隙間カバー
５１  鉤
【図１】
2006333645.tif 000003
【図２】
2006333645.tif 000004
【図３】
2006333645.tif 000005
【図４】
2006333645.tif 000006
【図５】
2006333645.tif 000007
【図６】
2006333645.tif 000008
【図７】
2006333645.tif 000009
【図８】
2006333645.tif 000010